(57)【要約】      （修正有）【課題】アクション筆記具において飛び出しキャラクターを有するものも開発されているが、これ等は部品点数が多くコスト高と成っていた。【解決手段】筆記具本体１に設けたクリップ２を操作することにより筆記部Ｃが出没すると共にマスコット３が出没するアクション筆記具であって、シャープペン機構Ａ又はボールペン機構Ｂと、機構基台４と、機構基台とクリップ２とを接続した操作用接続杆５と、マスコット収納室６と、マスコット３等と、マスコット台７と、マスコット台７と操作用接続杆５にＵ字状に固定した可撓性のスライドベルト８と、スライドベルト８に沿ってマスコット収納室６に固定したアール状のレール９と、スライドベルト８を介して挿置した回転コロ１０とを備えた。【選択図】図２
0003105554.tif 000002
【実用新案登録請求の範囲】
【請求項１】
筆記具本体の基端辺の外側に設けたクリップを長手方向に操作することにより筆記具本体の先端から筆記部が出没すると共に基端からマスコットが出没するアクション筆記具であって、前記筆記具本体の先端側に内装したシャープペン機構又はボールペン機構と、該シャープペン機構又はボールペン機構の基端に固定した機構基台と、該機構基台と前記クリップとを筆記具本体の基端辺の胴周に長孔状に穿設した摺動用孔を貫通させて接続した操作用接続杆と、前記筆記具本体の基端辺に形成したマスコット収納室と、該マスコット収納室に出没可能に収納されたマスコット等と、該マスコット等を固定したマスコット台と、該マスコット台に一端を固定され他端を前記操作用接続杆にＵ字状に固定した可撓性のスライドベルトと、該スライドベルトの湾曲部の外側に沿って当接させてマスコット収納室に両端を固定したアール状のレールと、該レールの内側に前記スライドベルトを介して挿置した回転コロとを備えたことを特徴とするアクション筆記具。
【考案の詳細な説明】
【技術分野】
【０００１】
本考案は、アクション用のマスコット等を備えた筆記具に関するものであり、更に詳細には、筆記具本体のクリップをノック又はスライドさせることなよって、先端からはシャープペン機構又はボールペン機構の筆記部が突出し筆記することができ、更に、基端からはマスコット等が突出するアクション筆記具に関するものである。
【背景技術】
【０００２】
従来、各種のキャラクター付き又は外装をキャラクター形状にした筆記具は既に多数が開発され市販されており、それなりに使用されているが、マンネリ化しており、更に、斬新さを求めてキャラクターが出没したり回転したり可動したりライトが点灯したりする筆記具が開発されている。
【０００３】
例えば、直線歯車と組合わされた出没操作部を上下に操作することで噛み合わされたギアが回転して立体的キャラクター部材と組み合わされた別の直線歯車の上下動として運動が伝達されて該キャラクター部材が上下方向に交互に移動し、天井部に蓋板を載置した筺体内に位置された立体的キャラクターが上方に移動する際に、所定の高さまで達すると前記別の直線歯車に設けられている突出部に保持された連結棒の端部が外れて、該連結棒と連結された回転軸に一本化されている前記蓋体が板ばねの弾力を受けて立体的キャラクターの頭部と接触することなしに解放されるように設定したもの（特許文献１参照）等が開示されている。
【特許文献１】登録実用新案第３０７６５８２号公報
【考案の開示】
【考案が解決しようとする課題】
【０００４】
然し乍ら、キャラクターを一部に備えた筆記具も多数販売されているが、あまり代わり映えしなく、マンネリ化しており、その為、前述のような飛び出しキャラクターを有するものも開発されているが、これ等は部品点数が多く加工費や材料費が高価と成ると共に、筆記具本体への組み立てにも非常に煩雑で困難を伴いコスト高と成っているものであり、更には、筆記具本体を分割軸としないと組み込みができないため、筆記具本体に転写印刷等の全面印刷ができない等の課題を有していた。
【課題を解決するための手段】
【０００５】
本考案は、前述の課題に鑑み、鋭意研鑽の結果、クリップを操作することにより筆記具本体から筆記部が出没すると共にマスコットが出没するアクション筆記具であって、筆記具本体に内装したシャープペン機構又はボールペン機構と、シャープペン機構又はボールペン機構に固定した機構基台と、機構基台とクリップとを筆記具本体の胴周に穿設した摺動用孔を貫通させて接続した操作用接続杆と、筆記具本体に形成したマスコット収納室と、マスコット収納室に収納されたマスコットと、マスコットを固定したマスコット台と、マスコット台に一端を固定され他端を操作用接続杆に固定したスライドベルトと、スライドベルトに沿って当接させマスコット収納室に両端を固定したアール状のレールと、レールの内側にスライドベルトを介して挿置した回転コロとを備えたものである。
【考案の効果】
【０００６】
本考案のアクション筆記具は、クリップを操作することにより筆記具本体に内装したシャープペン機構又はボールペン機構の先端の筆記部が筆記具本体から出没すると共に、そのクリップを操作により同時に、マスコット台に固定されたマスコットが突出するものであり、ユニークで斬新なものであり、且つ、アール状のレールと回転コロとの間にＵ字状にスライドベルトと挿通させたことにより、部品点数の少ない大幅なコストダウンを図れるアクション筆記具を提供するものであり、実用性の高い考案である。
【考案を実施するための最良の形態】
【０００７】
本考案は、アクション用のマスコット等を備えた筆記具に関するものであり、更に詳細には、筆記具本体１のクリップ２をノック又はスライドさせることなよって、先端からはシャープペン機構Ａ又はボールペン機構Ｂの筆記部Ｃが突出し筆記することができ、更に、基端からは開閉蓋１１が解放されると共にマスコット３等が突出するアクション筆記具に関するものであり、筆記具本体１の基端辺の外側に設けたクリップ２を長手方向に操作することにより筆記具本体１の先端から筆記部Ｃが出没すると共に基端からマスコット３が出没するアクション筆記具であって、前記筆記具本体１の先端側に内装したシャープペン機構Ａ又はボールペン機構Ｂと、該シャープペン機構Ａ又はボールペン機構Ｂの基端に固定した機構基台４と、該機構基台４と前記クリップ２とを筆記具本体１の基端辺の胴周に長孔状に穿設した摺動用孔１ａを貫通させて接続した操作用接続杆５と、前記筆記具本体１の基端辺に形成したマスコット収納室６と、該マスコット収納室６に出没可能に収納されたマスコット３等と、該マスコット３等を固定したマスコット台７と、該マスコット台７に一端を固定され他端を前記操作用接続杆５にＵ字状に固定した可撓性のスライドベルト８と、該スライドベルト８の湾曲部の外側に沿って当接させてマスコット収納室６に両端を固定したアール状のレール９と、該レール９の内側に前記スライドベルト８を介して挿置した回転コロ１０とを備えたものである。
【実施例】
【０００８】
以下、本考案のアクション筆記具の実施例の図面によって具体的に説明すると、図１は本考案のアクション筆記具の実施例の正面図であり、図２は本考案のアクション筆記具の実施例のシャープペン機構を備えた縦中央断面説明図であり、図３は本考案のアクション筆記具の実施例のボールペン機構を備えた縦中央断面説明図である。
【０００９】
即ち、本考案のアクション筆記具は、図１に図示する如く、筆記具本体１の基端辺の側面に突出させ胸のポケットの縁等に若干の弾性により挟持させるクリップ２を長手方向に操作することにより筆記具本体１の先端からシャープペン機構Ａ又はボールペン機構Ｂの筆記部Ｃが出没すると共に、基端からはマスコット３が出没するものである。
【００１０】
そして、筆記具本体１は一般的な筆記具と同様に合成樹脂等で筒状に形成したものであり、図２に図示するものは筆記具本体１の先端側にシャープペン機構Ａを内装したもので、クリップ２をノックすることによりシャープペンの筆記部Ｃ、つまり、芯が突出するもので、図３に図示するものは筆記具本体１の先端側にボールペン機構Ｂを内装したもので、クリップ２をスライドさせることによりボールペンの筆記部Ｃが突出するもので、シャープペン機構Ａ又はボールペン機構Ｂは周知のものである。
【００１１】
次に、機構基台４はシャープペン機構Ａ又はボールペン機構Ｂの基端に固定した板状のもので、クリップ２を操作することでシャープペン機構Ａ又はボールペン機構Ｂの筆記部Ｃと共に移動して、筆記部Ｃを出没をさせるものである。
【００１２】
次いで、操作用接続杆５は機構基台４とクリップ２とを接続したものであり、筆記具本体１の基端辺の胴周に長孔状に摺動用孔１ａを穿設し、該摺動用孔１ａに操作用接続杆５を貫通させて一端は機構基台４の側面に固定され、他端はクリップ２の基端と固定させているものである。
【００１３】
更に、マスコット収納室６は筆記具本体１の基端辺に形成しているもので、後述するマスコット３等が収納されると共に、胴周にはクリップ２を突設させているものである。
【００１４】
更には、マスコット３等とはマスコット収納室６に出没自在に収納されているもので、代表的には各種のキャラクターを用いたマスコット３であるが、単なる造形物でも何でも構わないものである。
【００１５】
次に、マスコット台７は上面にマスコット３等を固定した側面Ｌ字状のもので、側面には後述するスライドベルト８の一端を固定するものであり、本実施例では、マスコット台７の側面へ後述する開閉蓋１１をヒンジ機構１１ａと共に開閉させる機構を用いて説明するものである。
【００１６】
次いで、スライドベルト８はＵ字状に湾曲が自在な可撓性の素材で形成されているもので、一端をマスコット台７の下方に固定し、他端は操作用接続杆５の中程に固定したものである。
【００１７】
更に、レール９はスライドベルト８の湾曲部の外側に沿ってアール状に形成されているもので、マスコット収納室６の両側壁に固定されて、後述する回転コロ１０と共にスライドベルト８の湾曲部を挟持させているものである。
【００１８】
更には、回転コロ１０はレール９の内側にスライドベルト８の厚みの間隔を有してマスコット収納室６の両側壁に回転軸を突出させて固定され、スライドベルト８の移動に伴って回転可能にしているものである。
【００１９】
そして、本実施例で説明する開閉蓋１１は、一端にヒンジ機構１１ａを介してマスコット収納室６の基端に接続されていもので、マスコット収納室６の基端にヒンジ機構１１ａを設け、該ヒンジ機構１１ａを枢動させるようにマスコット台７を摺動させることにより開閉蓋１１が開閉するものである。
【００２０】
つまり、本考案のアクション筆記具は、クリップ２を筆記具本体１の長手方向に操作することにより操作用接続杆５と機構基台４とを介してシャープペン機構Ａ又はボールペン機構Ｂが可動するもので、先端から筆記部Ｃが突出して筆記が可能となるものである。
【００２１】
同時に、操作用接続杆５が移動することによりスライドベルト８の一端が押圧されスライドベルト８がアール状のレール９をスライドすると共に回転コロ１０は回動するものであり、更に、一端が押圧されることでスライドベルト８の他端が移動しマスコット台７と共にマスコット３を押し上げるものである。
【００２２】
更には、本実施例で説明している開閉蓋１１を設けた場合は、マスコット３が筆記具本体１の基端から突出すると共にマスコット台７が移動することにより、マスコット台７の側部がヒンジ機構１１ａと接触し、更に、移動されることによりヒンジ機構１１ａが枢動されて開閉蓋１１が解放するものである。
【００２３】
そして、シャープペン機構Ａ又はボールペン機構Ｂは汎用されているものであり、詳述は割愛するが、シャープペン機構Ａの場合はクリップ２をノックすることで、先端からシャープペンの芯が突出すると共に基端からマスコット３が突出するものであり、ボールペン機構Ｂの場合はクリップ２を先端方向にスライドさせることでボールペンの芯が突出すると共に基端からマスコット３が突出するものである。
【産業上の利用可能性】
【００２４】
本考案のアクション筆記具は、クリップを操作することによりシャープペン機構又はボールペン機構の筆記部と共に開閉蓋が開きマスコットが突出するものであり、斬新なアイディアでユニークな筆記具でマンネリ化した筆記具の中で人目を引くと共に、部品点数を大幅に減少させたものでコストダウンを図り、販促商品等としても企業や商品のイメージ、広告等を表現させて提供できるものである。
【図面の簡単な説明】
【００２５】
【図１】図１は本考案のアクション筆記具の実施例の正面図である。
【図２】図２は本考案のアクション筆記具の実施例のシャープペン機構を備えた縦中央断面説明図である。
【図３】図３は本考案のアクション筆記具の実施例のボールペン機構を備えた縦中央断面説明図である。
【符号の説明】
【００２６】
Ａ      シャープペン機構
Ｂ      ボールペン機構
Ｃ      筆記部
１      筆記具本体
１ａ    摺動用孔
２      クリップ
３      マスコット
４      機構基台
５      操作用接続杆
６      マスコット収納室
７      マスコット台
８      スライドベルト
９      レール
１０    回転コロ
１１    開閉蓋
１１ａ  ヒンジ機構
【図１】
0003105554.tif 000003
【図２】
0003105554.tif 000004
【図３】
0003105554.tif 000005